(57)【要約】      （修正有）【課題】絵画製作者が自ら画布を画布フレーム上に適切に固定でき、完成後に画布を取り外して画布フレームを再使用できる釘不要式交換可能画布フレームを提供する。【解決手段】画布を固定して使用者が画布上で創作を行えるようにするものであって、相互に接合されて１つの枠体２０５を構成し、それぞれ正面および対応する背面を有するとともに、それぞれファスナー構造を有する多数個のブラケット２１０と、枠体２０５を構成する前記した多数個のブラケット２１０の正面上に画布を配置することに適するものであり、画布の周縁部分を前記した多数個のブラケット２１０の前記した多数個のファスナー構造上に巻き付けることに適し、かつ画布の周縁部分を前記した多数個のファスナー構造上に固定することに適した多数個の画布固定材２５０と、隣接するブラケット２１０相互を連結する枠角接合材とを含む。【選択図】図２
2006007777.tif 000002
【特許請求の範囲】
【請求項１】
画布を固定して使用者が前記画布上で創作を行えるようにするものであって、
相互に接合されて１つの枠体を構成し、それぞれ正面および対応する背面を有するとともに、それぞれファスナー構造を有する多数個のブラケットと、
前記枠体を構成する前記した多数個のブラケット正面上に前記画布を配置することに適するものであって、前記画布の周縁部分を前記した多数個のブラケットの前記した多数個のファスナー構造上に巻き付けることに適し、かつ前記画布の周縁部分を前記した多数個のファスナー構造上に固定することに適した多数個の画布固定材と
を含むものである釘不要式交換可能画布フレーム。
【請求項２】
前記釘不要式交換可能画布フレームが、さらに、多数個の枠角接合材を備えて、任意の２つの前記ブラケットが前記した多数個の枠角接合材の１つにより接合されるものである請求項１記載の釘不要式交換可能画布フレーム。
【請求項３】
前記した多数個のブラケットの両端にそれぞれスロットを有し、かつ前記した多数個の枠角接合材の両端が前記した多数個のスロット内部へ挿入されるものである請求項２記載の釘不要式交換可能画布フレーム。
【請求項４】
前記した多数個の枠角接合材が、Ｌ型金属板を含むものである請求項３記載の釘不要式交換可能画布フレーム。
【請求項５】
前記釘不要式交換可能画布フレームが、さらに、多数個の伸縮材を備え、前記した多数個のブラケットがそれぞれ少なくとも１つの定位構造を有して、前記した多数個の定位構造の両端がそれぞれ異なる前記した多数個のブラケット上にある前記した多数個の定位構造に当接するのに適したものであるとともに、前記した多数個の伸縮材に長さを変化させることによって前記枠体上に留められた前記画布を張り広げるものである請求項１記載の釘不要式交換可能画布フレーム。
【請求項６】
前記した多数個の伸縮材が、それぞれ、その両端にネジ山を有するボルトと、前記ボルトの両端にそれぞれネジ止めされて、前記ボルトが回転される時、その間長さを変化させるスリーブとを含むものである請求項５記載の釘不要式交換可能画布フレーム。
【請求項７】
前記多数個の定位構造が、前記した多数個のブラケット上にビス止めされる多数個のビスを含むものである請求項５記載の釘不要式交換可能画布フレーム。
【請求項８】
前記した多数個の定位構造が、多数個の定位穴を含むものである請求項５記載の釘不要式交換可能画布フレーム。
【請求項９】
前記した多数個の定位構造が、前記枠体の内縁にあるものである請求項５記載の釘不要式交換可能画布フレーム。
【請求項１０】
前記釘不要式交換可能画布フレームが、さらに、多数個の伸縮材を備え、前記した多数個のブラケットがそれぞれ少なくとも１つの定位構造を有して、前記した多数個の定位構造の一端が前記した多数個のブラケット上に枢設され、前記した多数個の定位構造の他端が異なる前記した多数個のブラケット上にある前記した多数個の定位構造に当接するのに適したものであるとともに、前記した多数個の伸縮材に長さを変化させることによって前記枠体上に留められた前記画布を張り広げるものである請求項１記載の釘不要式交換可能画布フレーム。
【請求項１１】
前記した多数個のブラケットの両端が、それぞれ４５度角で相互対称を呈するものである請求項１記載の釘不要式交換可能画布フレーム。
【請求項１２】
前記した多数個のファスナー構造が、多数個の留め溝を含み、かつ前記した多数個の画布固定材が前記画布の周辺部分と一緒に前記した多数個の留め溝内部に挟み込まれるものである請求項１記載の釘不要式交換可能画布フレーム。
【請求項１３】
不要式交換可能画布フレームが、さらに、多数個の連接フックを含んで、前記した多数個の画布固定材が前記した多数個の連接フックによって前記した多数個のブラケット上に連接されるものである請求項１記載の釘不要式交換可能画布フレーム。
【請求項１４】
前記した多数個の画布固定材が、前記した多数個の連接フックの作用力によって前記画布の周辺部分を前記した多数個のファスナー構造上で緊密に締め上げるものである請求項１３記載の釘不要式交換可能画布フレーム。
【請求項１５】
前記した多数個のブラケットの材質が、アルミニウムを含むものである請求項１記載の釘不要式交換可能画布フレーム。
【請求項１６】
前記した多数個の画布固定材が、ファスナー式画布固定材およびクランプ式画布固定材のうち１つを含むものである請求項１記載の釘不要式交換可能画布フレーム。
【発明の詳細な説明】
【技術分野】
【０００１】
この発明は、釘不要式交換可能画布フレーム（nail needless interchangeable canvas frame）に関し、特に、使用者が作画時に自ら使用することのできる釘不要式交換可能画布フレームに関する。
【背景技術】
【０００２】
一般的に言って、画家が画布上で創作を行うのに先立って、画布を広げるとともに、画布フレームに固定する必要があり、そうして初めて画家が画布上で思いの限り創作活動に従事することができる。図１は、画布を従来の画布フレーム上に固定した状態を示す背面図である。図１において、従来の画布フレーム１００は、４つの木製ブラケット１１０を組み立ててなり、各ブラケット１１０間を波形留め金のような鉄片（図示せず）を固定接合しているため、画布フレーム１００を組み立てた後は、分解することができない。画布５０を画布フレーム１００上に固定したい時には、画布クランプ（図示せず）などの工具の助けにより適切な力で画布フレーム１００上に押し広げるとともに、釘６０を利用して画布５０の周辺部分を画布フレーム１００の背面に固定接続する。
【発明の開示】
【発明が解決しようとする課題】
【０００３】
しかし、従来、絵画作品の寸法が大きければ大きいほど長い木製ブラケットを必要とし、長い木製ブラケットほど価格が高くなって、画布フレームの価格も高騰する。各ブラケット間は、釘と接着剤とで固定接合するため、それを分解することもできず異なる寸法のブラケットに組立直すこともできないと同時に、画布が釘で画布フレームに固定されて抜き取ることが容易ではなく、しかも画布フレームおよび画布がいずれも釘により損傷を受けるので、絵画作品が完成した後で画布を取り外すことはできない。もしも画布を無理矢理に画布フレームから取り外せば、画布フレームと画布との破損をもたらすものとなる。画家が心と力を使い尽くして完成した絵画作品について言えば、絵画作品が破損される危険を冒すことはできない。
【０００４】
また、１つの画布フレームは、１回しか使用できないために、１枚の絵画を創作するたびに画布を購入する必要があるだけでなく、画布フレームも購入する必要がある。しかも絵画作品を保存する時には、画布が画布フレームに固定されているので、画布フレームと一緒に保存する必要があり、保存空間として浪費となる。更に、画布を画布フレームに固定する時には、適切な力と技巧の助けが必要となるため、一般の絵画製作者には自分で処理することができず、美術用品店の従業員に処理を委託することとなる。
【０００５】
注意すべきことは、画家が画布に筆を降ろす時、どのタッチも画布の弾力性と緊密に適合する必要があり、そうして初めて適切な躍動感と美観とを表現できるものとなる。しかし、画布が画布フレームに固定された後、熱膨張および冷収縮と画布の水分吸収後の変化とにより、通常、絵画作品が完成する前すでに画布フレーム上で適切な力で押し広げられ弾力性を保持することができなくなって、画家が筆を降ろす時すでに構想を完全に表現できなくなってしまう。こうなると、画布を画布フレームと一緒に美術用品店に送って改めて張り直す必要があり、時間ならびに費用がかかるだけではなく、絵画作品が破損される機会が増大することとなる。
【０００６】
そこで、この発明の目的は、絵画製作者が自ら画布を画布フレーム上に適切に固定できるとともに、絵画作品が完成した後に画布フレームから取り外して再び画布フレーを使用できる釘不要式交換可能画布フレームを提供することにある。
【課題を解決するための手段】
【０００７】
上記課題を解決し、所望の目的を達成するために、この発明にかかる釘不要式交換可能画布フレームは、画布を固定して使用者が前記画布上で創作を行えるようにするものであって、相互に接合されて１つの枠体を構成し、それぞれ正面および対応する背面を有するとともに、それぞれファスナー構造を有する多数個のブラケットと、前記枠体を構成した前記した多数個のブラケット正面上に前記画布を配置することに適するものであって、前記画布の周縁部分を前記した多数個のブラケットの前記した多数個のファスナー構造上に巻き付けることに適し、かつ前記画布の周縁部分を前記した多数個のファスナー構造上に固定することに適した多数個の画布固定材とを含むものである。
【発明の効果】
【０００８】
この発明にかかる釘不要式交換可能画布フレームによれば、使用方法が簡単で、画布フレームを自分で分解することができるとともに、寸法を組み合わせて繰り返し使用することができ、画布フレームを保存する空間を節約でき、かつ画布の張り具合を随時調整できるという利点がある。
【０００９】
この発明にかかる釘不要式交換可能画布フレームは、各ブラケット間が枠角接合材によって連接されてから、画布固定材で画布をブラケット上にしっかりと張り付けるので、使用が極めて簡単であり、しかもブラケットの分解も容易であるから、ブラケットを繰り返し使用することができ、ブラケットと画布との結合も使用者が自分で処理することができる。同時に、画布をブラケットから容易に取り外せるため、絵画作品を保存する時に、画布を保存する空間だけを必要とし、ブラケットごと保存するという余分な空間を必要としない。もしもアルミニウムなどの金属をブラケット材質とするならば、木製ブラケットにかかる高いコストを節約することができて、環境保護に寄与するだけでなく強度も向上させることができる。また、各種寸法のブラケットを組み合わせることにより、異なる寸法のブラケットを組み立てることができる。さらに、伸縮材によって、使用者が自分の好みに合わせて画布の弾力性を調整することができる。従来の木製ブラケットを固定する画布フレームと比較して、この発明にかかる釘不要式交換可能画布フレームは、経済的かつ便利である。
【発明を実施するための最良の形態】
【００１０】
最適な実施形態において、多数個の枠角接合材を備えて、任意の２つの前記ブラケットが前記した多数個の枠角接合材の１つにより接合されるものである。前記した多数個のブラケットの両端にそれぞれスロットを有し、かつ前記した多数個の枠角接合材の両端が前記した多数個のスロット内部へ挿入されるものである。前記した多数個の枠角接合材が、Ｌ型金属板を含むものである。
【００１１】
さらに、多数個の伸縮材を備え、前記した多数個のブラケットがそれぞれ少なくとも１つの定位構造を有して、前記した多数個の定位構造の両端がそれぞれ異なる前記した多数個のブラケット上にある前記した多数個の定位構造を支えるのに適したものであるとともに、前記した多数個の伸縮材に長さを変化させることによって前記枠体上に留められた前記画布を張り広げるものである。前記した多数個の伸縮材が、それぞれ、その上にネジ山を有するボルトと、前記ボルトの一端にネジ止めされて、前記ボルトが回転される時、その長さを変化させるスリーブとを含むものである。前記した多数個の定位構造が、前記した多数個のブラケット上にビス止めされる多数個のビスを含むものである前記した多数個の定位構造が、多数個の定位穴を含むものである。前記した多数個の定位構造が、前記枠体の内縁にあるものである。
【００１２】
前記した多数個のブラケットの両端が、それぞれ４５度角で相互対称を呈するものである。前記した多数個のファスナー構造が、多数個の留め溝を含み、かつ前記した多数個の画布固定材が前記画布の周辺部分と一緒に前記した多数個の留め溝内部に挟み込まれるものである。前記釘不要式交換可能画布フレームが、さらに、多数個の連接フックを含んで、前記した多数個の画布固定材が前記した多数個の連接フックによって前記した多数個のブラケット上に連接されるものである。前記した多数個の画布固定材が、前記した多数個の連接フックの作用力によって前記画布の周辺部分を前記した多数個のファスナー構造上で緊密に締め上げるものである。前記した多数個のブラケットの材質が、アルミニウムを含むものである。前記した多数個の画布固定材が、ファスナー式画布固定材およびクランプ式画布固定材のうち１つを含むものである。
【実施例１】
【００１３】
以下、この発明を実施するための最良の形態を図面に基づいて説明する。
図２は、この発明にかかる釘不要式交換可能画布フレームの実施形態を示す組立説明図である。図２において、釘不要式交換可能画布フレーム２００は、画布（図示せず）を固定して使用者が画布上で創作を行うことに供するものである。この釘不要式交換可能画布フレーム２００は、主に、多数個のブラケット２１０と、多数個の枠角接合材２３０と、多数個の画布固定材２５０とから構成される。また、釘不要式交換可能画布フレーム２００は、例えば、さらに、多数個の伸縮材２７０を含む。
【００１４】
図３は、ブラケットと画布固定材と画布との組立断面図である。図２と図３とにおいて、各ブラケット２１０は、例えば、アルミニウム材質であって、軽量かつ剛性を備える特長がある。各ブラケット２１０の両端は、例えば、４５度角を呈して互いに対称となっており、４つのブラケット２１０を相互接合すると１つの四角形の枠体を構成することができる。各ブラケット２１０は、正面Ｓ１と、対応する背面Ｓ２とを備えている。各ブラケット２１０は、ファスナー構造２１２を備えており、例えば、ブラケット２１０の背面Ｓ２に配置している。もちろん、ファスナー構造２１２をブラケット２１０が画布５０に包まれる側面に配置することもできる（図示せず）。ファスナー構造２１２は、例えば、留め溝とし、かつ画布固定材２５０が画布５０の周辺部分をファスナー構造２１２内部に挟み込むのに適したものである。画布固定材２５０の形式は、ファスナー式またはクランプ式などとすることができる。
【００１５】
ファスナー構造２１２は、ブラケット２１０のエッジ部分に鋭角構造２１４を備えることができるため、画布５０が鋭角構造２１４を回り込んで画布固定材２５０により緊密に押圧される時、鋭角構造２１４が画布５０に適切な力を提供して画布５０の緩みを防止することができる。また、ファスナー構造２１２は、画布固定材２５０と接触する表面上に例えば微小突起構造２１６，２１６を設けることによって、画布５０とブラケット２１０との噛み合わせを強化することができる。さらに、画布固定材２５０の前縁がブラケット２１０と接触する表面に例えば多数個の歯状構造２５２を設けて、画布固定材２５０により画布５０をファスナー構造２１２内部へ押し込む時、力の入れ方によって画布固定材２５０とブラケット２１０との結合緊密度を調整することができる。
【００１６】
ここで、強調すべきことは、この発明にかかる釘不要式交換可能画布フレーム２００は、画布５０が画布固定材２５０とファスナー構造２１２との間に圧着され、しかも画布５０が損傷されることがないので、画布５０の完璧性を保持することができ、ブラケット２１０にも損傷を与えることがないということである。
【００１７】
引き続き、図３において、ブラケット２１０は、正面Ｓ１のエッジ部分を例えば突起部２１８としているので、画布５０がブラケット２１０上に固定されると、ブラケット２１０の正面Ｓ１は、突起部２１８においてのみ画布５０と接触するものとなり、画布５０の周縁部分であっても宙に浮く状態を保持することができるため、ブラケット２１０上にぴったりと張り付いて使用者が筆を置いた時の感触に影響を及ぼすことがない。
【００１８】
図４は、枠角接合材の説明図である。図２〜図４において、各枠角接合材２３０の両端がそれぞれ２つのブラケット２１０に連接されることによって、これらのブラケット２１０が相互接合されて１つの枠体２０５を構成することができる。各ブラケット２１０の両端には、図３に示すように、スロット２２０が設けられている。もちろん、ブラケット２１０両端にあるスロット２２０を連通するものとすれば、ブラケット２１０を軽量化することができる。枠角接合材２３０の両端は、それぞれ２つのブラケット２１０のスロット２２０に挿入される。枠角接合材２３０は、例えば、図４に示すように、Ｌ型金属板である。各ブラケット２１０が緊密に接合された時、枠角接合材２３０は、完全に２つのブラケット２１０内部に隠されてしまう。
【００１９】
図５Ａは、伸縮材２７０の説明図であり、図６は、別なブラケットの局部説明図である。図２と図５Ａとにおいて、各ブラケット２１０は、少なくとも１つの定位構造２２２を有しており、ここでは２個を例とし、定位構造２２２は、例えば、図２に示すように、ブラケット２１０上にネジ止めされた多数個のビス２２４から構成される。あるいは、図６に示すように、定位構造２２２は、また、ブラケット２１０上の定位穴２２６とすることができる。定位構造２２２の位置は、例えば、枠体２０５の内縁とする。各伸縮材２７０の両端は、それぞれ隣り合う２つのブラケット２１０の接合場所付近にある２つの定位構造２２２に当接するのに適したものとなっている。伸縮材２７０の長さが変化した時、定位構造２２２を介して力が各ブラケット２１０に伝えられて、各ブラケット２１０を外方向へ拡張することにより、枠体２０５上に固定された画布５０を押し広げる。従って、使用者が画布５０を再び釘不要式交換可能画布フレーム２００上に固定する時、伸縮材２７０の長さを調整することによって画布５０が適切な張力を保持することができ、画布５０が熱膨張および冷収縮または水分吸収により張力不足である時にも伸縮材２７０の長さを随時調整することにより適切な張力を回復することができる。
【００２０】
引き続き、図５Ａにおいて、各伸縮材２７０は、中央にあるヘッドの両側にネジ山を設けたボルト２７２と各ネジ山に噛み合う２つのスリーブ２７４，２７４とから構成される。ボルト２７２の両側にはネジ山があり、中央部分が六角柱のヘッドとなっているので、使用者が六角レンチなどの工具でボルト２７２を回転させるのに便利なものとしている。２つのスリーブ２７４，２７４は、それぞれボルト２７２の両端にネジ止めされる。従って、ネジ山の方向を適切に設計するだけで、ボルト２７２を回転させる方向により２つのスリーブ２７４，２７４間の距離を調整することができる。
【００２１】
図５Ｂは、別な伸縮材２７０を示す説明図である。図２と図５Ｂとにおいて、伸縮材２７０の一端をブラケット２１０上にビスで枢設することができ、他端をこの伸縮材２７０が異なるブラケット２１０上の定位構造２２２に当接するのに適したものとして、同様に、枠体２０５上に固定された画布５０を押し広げる目的を達成することができる。しかも、伸縮材２７０の一端をブラケット２１０上にビスで枢設するので、ブラケット２１０と伸縮材２７０とを別々に保存する必要がなく、持ち運びに便利であるだけでなく、体積の小さい伸縮材２７０の紛失を防止することができる。
【００２２】
また、各ブラケット２１０上に定位構造２２２が１つしかない時には、定位構造２２２をブラケット２１０の中央に設けるとともに、２つの伸縮材２７０の両端で１つの定位構造２２２を共同使用することもできる（いずれも図示せず）。
【実施例２】
【００２３】
図７は、この発明の実施例２にかかる釘不要式交換可能画布フレームを示す局部説明図であって、図８が示すのは、別な連接フック、画布固定材およびブラケットの組立説明図である。図７において、この実施形態にかかる釘不要式交換可能画布フレーム３００が前の実施形態と異なる主要な点は、多数個の連接フック２６０を増設したことであり、画布固定材２５０が連接フック２６０によりブラケット２１０上に連接される。従って、ブラケット２１０を持ち運ぶ時、画布固定材２５０を別に携帯する必要がなく、釘不要式交換可能画布フレーム３００を持ち運ぶ上でより便利なものとなる。さらに、連接フック２６０の寸法を適切に設計すれば、連接フック２６０に連接される画布固定材２５０が下向きに押圧されてファスナー構造２１２内部に噛み合わされる時、連接フック２６０が画布固定材２５０に圧力を加えるので、画布固定材２５０がしっかりとファスナー構造２１２に押し付けられ、画布固定材２５０およびブラケット２１０間の画布の緩みを防止できる。
【００２４】
図８において、連接フック、画布固定材およびブラケットの構造および組立方式は、図７に示したものに限定されるものではなく、図８に示す方式によっても組立を行うことができる。もちろん、図７および図８に示した連接フック２６０、画布固定材２５０、ブラケット２１０の構造ならびに組立方式は、いずれも例示説明であって、この発明を限定するためのものではない。
【００２５】
注意すべきことは、この発明にかかる釘不要式交換可能画布フレームは、画布をブラケット上に直接固定するためのものであって、この技術に習熟した者が習慣的に言う『内枠』であり、絵画作品を展覧する時に絵画作品を美化および保護するために使用する額縁（つまり『外枠』）ではないことである。
【００２６】
以上のごとく、この発明を好適な実施例により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００２７】
【図１】画布を従来の画布フレーム上に固定した状態を示す背面図である。
【図２】この発明にかかる釘不要式交換可能画布フレームの第１実施例を示す組立説明図である。
【図３】この発明にかかるブラケットと画布固定材と画布との組立断面図である。
【図４】この発明にかかる枠角接合材の説明図である。
【図５Ａ】この発明にかかる伸縮材２７０の説明図である。
【図５Ｂ】この発明にかかる別な伸縮材２７０を示す説明図である。
【図６】この発明にかかる別なブラケットの局部説明図である。
【図７】釘不要式交換可能画布フレームの第２実施例を示す局部説明図である。
【図８】この発明の別な連接フック、画布固定材およびブラケットの組立説明図である。
【符号の説明】
【００２８】
５０  画布
２００，３００  釘不要式交換可能画布フレーム
２０５  枠体
２１０  ブラケット
２１２  ファスナー構造
２１４  鋭角構造
２１６  微小突起構造
２１８  突起部
２２０  スロット
２２２  定位構造
２２４  ビス
２２６  定位穴
２３０  枠角接合材
２５０  画布固定材
２５２  歯状構造
２６０  連接フック
２７０  伸縮材
２７２  ボルト
２７４  スリーブ
Ｓ１  正面
Ｓ２  背面
【図１】
2006007777.tif 000003
【図２】
2006007777.tif 000004
【図３】
2006007777.tif 000005
【図４】
2006007777.tif 000006
【図５Ａ】
2006007777.tif 000007
【図５Ｂ】
2006007777.tif 000008
【図６】
2006007777.tif 000009
【図７】
2006007777.tif 000010
【図８】
2006007777.tif 000011